(57)【要約】      （修正有）【課題】部品にサイズが大きなデバイスを要することなく、簡易な構成で確実に省電力化を可能とするクロック信号増幅回路を提供する。【解決手段】反転増幅器１の入出力端子間に、帰還抵抗器２を接続し、反転増幅器１の入力端子と、この入力端子の電位とは異なる電位のノードであるグランドとの間に、開閉成動作を可能とする電流制御用主スイッチ３を設ける。クロック信号の入力が無い場合に、電流制御用主スイッチ３がオンすると、入力端子電圧は低下し、反転増幅器１には電流が流れない状態となり、クロック信号増幅が行われない場合の不要な電流消費を回避する。【選択図】図１
2019057844.tif 000002
【特許請求の範囲】
【請求項１】
容量結合で入力されたクロック信号を反転増幅器により信号増幅するクロック信号増幅回路であって、
前記反転増幅器の入出力端子間に帰還抵抗器を接続すると共に、
前記反転増幅器の入力端子と、当該入力端子の電位と異なる電位のノードとの間を開閉成可能とするスイッチを設けたことを特徴とするクロック信号増幅回路。
【請求項２】
前記帰還抵抗器と前記反転増幅器の入出力端子間との接続状態を開閉成可能とする帰還抵抗開放用スイッチを設けたことを特徴とする請求項１記載のクロック信号増幅回路。
【発明の詳細な説明】
【技術分野】
【０００１】
本発明は、ディジタル回路において用いられるクロック信号の増幅を行うクロック信号増幅回路に係り、特に、回路の小型化、省電力化等を図ったものに関する。
【背景技術】
【０００２】
ディジタル信号を扱う回路においては、通常、クロック信号が必要とされる。
クロック信号は、水晶発振器等を用いて生成されてディジタル信号処理回路に入力されることが多い。
【０００３】
水晶発振器等を用いて生成されたクロック信号がディジタル信号処理回路へ入力される際、そのクロック信号がディジタル信号処理回路に必要な矩形波であれば良いが、一般に、矩形波には多くの高調波が含まれるため、ディジタル信号処理回路の中で、クロック信号を供給する信号ラインの配設位置や形状等によっては、他の回路等へ電磁妨害を与える虞がある。
【０００４】
このような電磁妨害の可能性を低減するため、クロック信号の振幅を小さくしたり、正弦波に波形変換したり、さらには、矩形波を鈍らせることで含まれる高調波の範囲を縮小する等の方策が採られることがある。
【０００５】
その一方、クロック信号を供給する信号ラインが長くなる場合には、伝搬過程で信号減衰が生じることがあり、ディジタル信号処理回路に適する矩形波振幅まで増幅するためのクロック信号増幅回路が必要となることもある。
【０００６】
このような場合に用いられるクロック信号増幅回路は、一般的には、入力信号を容量結合により入力し、出力端から入力端へ抵抗帰還された構成の反転増幅器を用いることが多い。
【０００７】
ところが、上述のような構成にあっては、クロック信号が入力されない場合にも、反転増幅器は動作状態のままで、不要な電流が流れるため、無駄な電力を消費するという欠点がある。
【０００８】
このような消費電力の問題を解決する方策としては、例えば、特許文献１に開示されたように、増幅器本体の電源供給経路にスイッチを設けて、クロック信号の入力が無い場合、スイッチにより電源供給経路を遮断することで増幅器本体への電源供給を絶ち、不要な電力消費を回避可能とする構成を採る方法等がある。
【先行技術文献】
【特許文献】
【０００９】
【特許文献１】国際公開第２００９／１４７７７０号公報
【発明の概要】
【発明が解決しようとする課題】
【００１０】
しかしながら、上述のように、増幅器本体の電源供給経路に設けたスイッチによって、クロック信号の有無に応じて電源供給を断続する構成は、確実に不要な電力消費を回避できるものの、動作電流が大きな増幅器の場合、電源供給経路に設けるスイッチも、許容電流の大きなものが必要となるため、スイッチのデバイスサイズが大きなものとなり、回路規模が大きくなるばかりでなく、高価格化を招くという問題がある。
【００１１】
本発明は、上記実状に鑑みてなされたもので、デバイスサイズが大きな部品を要することなく、簡易な構成で確実に省電力化を可能とするクロック信号増幅回路を提供するものである。
【課題を解決するための手段】
【００１２】
上記本発明の目的を達成するため、本発明に係るクロック信号増幅回路は、
容量結合で入力されたクロック信号を反転増幅器により信号増幅するクロック信号増幅回路であって、
前記反転増幅器の入出力端子間に帰還抵抗器を接続すると共に、
前記反転増幅器の入力端子と、当該入力端子の電位と異なる電位のノードとの間を開閉成可能とするスイッチを設けてなるものである。
【発明の効果】
【００１３】
本発明によれば、従来と異なり、電流容量が小さくて済む箇所にスイッチをもうけて増幅器への電流供給を断続できる構成としたので、デバイスサイズの大きな部品を用いることなく、簡易な構成で確実に省電力を実現することができるという効果を奏するものである。
【図面の簡単な説明】
【００１４】
【図１】本発明の実施の形態におけるクロック信号増幅回路の第１の回路構成例を示す回路図である。
【図２】本発明の実施の形態におけるクロック信号増幅回路の第２の回路構成例を示す回路図である。
【図３】インバータ増幅器の一構成例を示す回路図である。路構成例を示す回路図である。
【発明を実施するための形態】
【００１５】
以下、本発明の実施の形態について、図１乃至図３を参照しつつ説明する。
なお、以下に説明する部材、配置等は本発明を限定するものではなく、本発明の趣旨の範囲内で種々改変することができるものである。
最初に、本発明の実施の形態におけるクロック信号増幅回路の第１の回路構成例について、図１を参照しつつ説明する。
このクロック信号増幅回路は、反転増幅器１と、帰還抵抗器２と、電流制御用主スイッチ３とを主たる構成要素として構成されてなるものである。
【００１６】
反転増幅器１は、その入力端子に入力コンデンサ５が接続されて、この入力コンデンサ５を介して容量結合によりクロック信号が入力可能となっている。
また、反転増幅器１の出力端子と入力端子との間には、帰還抵抗器２が接続されている。
【００１７】
さらに、反転増幅器１の入力端子の電位と異なる電位のノードであるグランドと、反転増幅器１の入力端子との間には、電流制御用主スイッチ３が設けられている。この電流制御用主スイッチ３は、例えば、半導体素子等からなるもので、外部から別途入力される制御信号に応じて、そのオン・オフ（開閉成）が制御されるようになっているものである。
【００１８】
次に、かかる構成における動作について説明する。
まず、クロック信号が入力されている通常の動作状態において、電流制御用主スイッチ３はオフ状態（開成状態）とされている。
それによって、反転増幅器１は入力されたクロック信号を反転増幅動して出力する。
【００１９】
一方、クロック信号の入力が停止されると、所定の制御信号が電流制御用主スイッチ３に印加され、電流制御用主スイッチ３はオン状態（閉成状態）とされる。
電流制御用主スイッチ３がオン状態とされることで、高抵抗の抵抗器が用いられている帰還抵抗器２と、電流制御用主スイッチ３の低いオン抵抗との差によって、反転増幅器１の入力端子電圧は低下する。
【００２０】
これに対して、反転増幅器１の出力端子の電圧は、上昇して電源電圧にほぼ等しい状態となるが、反転増幅器１は電流が流れない状態となるため、増幅機能が停止することとなる。
【００２１】
この第１の回路構成例において、帰還抵抗器２は、入力端子のＤＣバイアス印加を目的としているため、その抵抗値は大きい値に設定される。
そのため、電流制御用主スイッチ３の電流は非常に小さくて済み、電流制御用主スイッチ３のオン抵抗は比較的大きいものであっても支障を来すことはない。かかる電流制御用主スイッチ３は、例えば、特許文献１に開示された電源供給経路に設けられたスイッチに比較して、そのサイズは大幅に縮小されたものを用いることができ、従来に比して回路全体の小型化を図ることが可能となる。
【００２２】
次に、第２の回路構成例について、図２を参照しつつ説明する。
なお、図１に示された構成要素と同一の構成要素については、同一の符号を付して、その詳細な説明を省略し、以下、異なる点を中心に説明する。
第２の回路構成例は、図１に示された第１の回路構成例に、さらに、以下に述べるように帰還抵抗開放用スイッチ４を付加した構成を有するものである。
【００２３】
帰還抵抗開放用スイッチ４は、図１に示された１個の帰還抵抗器２に代わる第１及び第２の帰還抵抗器６−１，６−２と共に、反転増幅器１の入出力間に次述するように直列接続されて設けられている。
【００２４】
すなわち、第１及び第２の帰還抵抗器６−１，６−２は、その抵抗値の和が、先の図１に示された帰還抵抗器２の抵抗値に相当する値となるように、各々の抵抗値が適宜に設定されたものである。
第１の帰還抵抗器２の一端は、反転増幅器１の入力端に、他端は、帰還抵抗開放用スイッチ４の一端に、それぞれ接続されている。
帰還抵抗開放用スイッチ４の他端は、第２の帰還抵抗器２の一端に、第２の帰還抵抗器２の他端は、反転増幅器１の出力端子に、それぞれ接続されている。
【００２５】
帰還抵抗開放用スイッチ４は、電流制御用主スイッチ３と基本的に同一の構成を有してなるものである。したがって、帰還抵抗開放用スイッチ４は、外部から印加される制御信号によって、そのオン・オフ（開閉成）が制御されるが、この帰還抵抗開放用スイッチ４に印加される制御信号の論理と、電流制御用主スイッチ３に印加される制御信号の論理は、丁度逆の関係となっている。
【００２６】
すなわち、外部からの制御信号は、インターバータ７を介して帰還抵抗開放用スイッチ４のオン・オフ制御に供されるようになっている。
したがって、電流制御用主スイッチ３に、例えば、論理値Ｌｏｗに相当する制御信号が印加される場合、帰還抵抗開放用スイッチ４には、論理値Ｈｉｇｈに相当する制御信号が印加されることとなる。
【００２７】
次に、かかる構成における動作について説明する。
電流制御用主スイッチ３の動作については、先に第１の回路構成例で説明した通りであるので、ここでの再度の詳細な説明は省略する。
帰還抵抗開放用スイッチ４は、電流制御用主スイッチ３がオフ状態、すなわち、換言すれば、クロック信号が入力されて反転増幅器１が動作状態にある場合には、オン状態とされる。その結果、第１及び第２の帰還抵抗器６−１，６−２は、帰還抵抗開放用スイッチ４を介して反転増幅器１の入出力間に直列接続された状態となる。
【００２８】
一方、帰還抵抗開放用スイッチ４は、電流制御用主スイッチ３がオン状態、すなわち、換言すれば、クロック信号の入力が停止された場合、オフ状態とされ、第１の帰還抵抗器６−１と第２の帰還抵抗器６−２の接続が断たれ、反転増幅器１との接続は開放状態とされる。
そのため、第１及び第２の帰還抵抗器６−１，６−２における電流経路が遮断され、第１の回路構成例に比して、より効果的に消費電流の削減が可能となっている。
【００２９】
なお、本発明の実施の形態における反転増幅器１の具体的な回路構成例としては、例えば、図３に示されたような従来から良く知られているＰチャンネルＭＯＳトランジスタ８とＮチャンネルＭＯＳトランジスタ９を直列接続した構成のもの等が好適である。
【産業上の利用可能性】
【００３０】
簡易な構成で、回路規模の小型化、確実な省電力化が所望されるクロック信号増幅回路に適用できる。
【符号の説明】
【００３１】
１…反転増幅器
２…帰還抵抗器
３…電流制御用主スイッチ
４…帰還抵抗開放用スイッチ
７…インバータ
【図１】
2019057844.tif 000003
【図２】
2019057844.tif 000004
【図３】
2019057844.tif 000005